(57)【要約】【課題】大型高級魚や小動物、両生類等を、傷つけず、安全に捕獲、移送することが可能な捕獲ネットを提供する。【解決手段】外側が強化ネット、内側がソフトネットで構成された二重構造を有する筒状網体の両端開放部に枠を取り付けてなる捕獲ネットと、この捕獲ネットの少なくとも一端の枠部に、柄付き開閉機能付き蓋を連結してなる捕獲ネットを用いる。【選択図】図１
2008220353.tif 000002
【特許請求の範囲】
【請求項１】
外側が強化ネット、内側がソフトネットで構成された二重構造を有する両端が開放された筒状網体であり、該網体の両端開放部に枠を取り付けてなる捕獲ネット。
【請求項２】
ソフトネットが捕獲物を傷つけない柔らかい繊維より構成されたネットであることを特徴とする請求項１記載の捕獲ネット。
【請求項３】
強化ネットが捕獲物により破壊されない強度を有するネットであることを特徴とする請求項１記載の捕獲ネット
【請求項４】
枠が把持部を有することを特徴とする請求項１記載の捕獲ネット。
【請求項５】
筒状網体の一端の枠に開閉機構付き蓋を取り付けたことを特徴とする請求項１記載の捕獲ネット。
【請求項６】
開閉機能付き蓋が、手に掴まれる柄と、柄の先端に取り付けられた両端が開放された枠体、蓋よりなり、蓋の開閉を柄に配設した引き金を引くことによりコイルバネとリンク機構より行うことを特徴とする請求項５記載の捕獲ネット。
【発明の詳細な説明】
【技術分野】
【０００１】  本発明は観賞用大型魚、古代魚、小動物、両生類等、多種多様な生物を安全かつ迅速、無傷で捕獲する捕獲ネットに関する。
【背景技術】
【０００２】  従来、観賞魚やペット等の小動物の捕獲には竿の先端に枠体を固定し、この枠体にネットを取り付けた所謂捕獲網（すくい網）が知られている。また、大型高級魚の捕獲においては捕獲網のネット部分を長く、かつ網の底の部分をも解放にした網も使用されている。
【特許文献１】実開平６−６１０６７号公報
【発明の開示】
【発明が解決しようとする課題】
【０００３】  しかしながら、すくい網で捕獲する方法は小型魚や小型ペットであれば問題ないが、鯉や大型熱帯魚の場合には、魚が暴れることにより落とす可能性や、網の中で暴れて、傷つき、弱るという問題があった。また網に鱗が引っかかり、剥がれるため、著しく商品価値が低下する等の問題があった。【０００４】  また、観賞用飼育水槽が大型化し、観賞魚の飼育は通常成人の腰よりも上に水槽を設置するため、水槽への魚の投入や、取り出し等の作業は脚立等を使用した不安定な足場での高所作業となる。加えて、筒状の網に魚を追い込むと伴に、水中に手を入れ、もう一方の網の端を絞りながら手で持ち上げ搬送する作業は、かなりの重量を網の柄と筒状網の端部という掴み難い部位を持って行うのであるから、高所でのバランスの悪い危険作業となり好ましくない。これら従来の筒状網は魚を傷つけない目的より柔らかで小さな網目を持つ網を使用するため、捕獲した大型魚が暴れる場合には網が破れ、捕獲魚を落とす可能性が高いことより、必然的に、捕獲後の大型魚は抱きかかかえ搬送することとなり、熟練と体力を必要とする作業となる。また、捕獲物が毒を持っている場合、或いは獰猛である場合には安全性の点から、上記特許文献１の捕獲網は使用できない。
【課題を解決するための手段】
【０００５】  かかる事情下に鑑み、本発明者等は、高所でも安全に使用可能で、かつ捕獲物を傷つけず、安全に捕獲、移送し得る捕獲ネットを提供すべく鋭意検討した結果、本発明を完成するに至った。【０００６】  すなわち本発明は、（１）外側が強化ネット、内側がソフトネットで構成された二重構造を有する両端が開放された筒状網体であり、該網体の両端開放部に枠を取り付けてなる捕獲ネットを提供するものである。【０００７】  また、本発明は、ソフトネットが捕獲物を傷つけない柔らかい繊維より構成されたネットであることを特徴とする、上記（１）に記載の捕獲ネットを提供するものである。【０００８】  また、本発明は、強化ネットが捕獲物により破壊されない強度を有するネットであることを特徴とする、上記（１）に記載の捕獲ネットを提供するものである。【０００９】  また、本発明は、枠が把持部を有することを特徴とする、上記（１）に記載の捕獲ネットを提供するものである。【００１０】  また、本発明は、筒状網体の一端の枠に開閉機構付き蓋を取り付けたことを特徴とする、上記（１）に記載の捕獲ネットを提供するものである。【００１１】  また、本発明は、開閉機能付き蓋が、手に掴まれる柄と、柄の先端に取り付けられた両端が開放された枠体、蓋よりなり、蓋の開閉を柄に配設した引き金を引くことによりコイルバネとリンク機構により行うことを特徴とする、上記（１）に記載の捕獲ネットを提供するものである。
【発明の効果】
【００１２】  本発明の捕獲ネットは、水中に手を浸漬せずとも、左右同じポジションで網の開放端を閉じることが可能であることより、高所でも安全に使用可能で、かつ大型高級魚やピラニア等の危険魚であっても、捕獲物を傷つけず、安全に捕獲、移送し得るとの効果を有するものである。加えて捕獲ネットを構成する外側、内側の両ネットを可撓性のある材質、例えばナイロン繊維等で構成したものにあっては、枠と筒状網体を直線上で取り扱うことが可能であることより、水槽上部に狭い空間しかない場合においても使用可能との利点を有する。【００１３】  また、ネットの材質を変えたり、遠隔操作機能を有する開閉機能付き蓋を併用することにより、より安全かつ効率的に小動物の捕獲にも利用できるとの利点を有する。
【発明を実施するための最良の形態】
【００１４】  以下、本発明をさらに詳細に説明する。
本発明の捕獲ネットは、外側が強化ネット、内側がソフトネットで構成された二重構造を有する両端が開放された筒状網体であり、該網体の両端開放部に枠を取り付けてなる捕獲ネットである。外側の強化ネットは、捕獲物により破壊されない強度を有するネットであればよく、特に制限されないがナイロン等の合成樹脂、強化プラスチック樹脂、金網等が挙げられるが、可撓性の点から、ナイロン樹脂等の使用が推奨される。【００１５】  本発明の捕獲ネットに用いるソフトネットとしては、捕獲物を傷つけない柔らかい繊維より構成されたネットであればよく、特に制限されないがナイロン等の合成樹脂繊維で構成された目の細かいネットが推奨される。ネットの網目の細かさは捕獲対象物により一義的ではないが、捕獲対象物が魚類の場合には少なくとも保有する鱗の形状よりも小さいもの、好ましくは１／２以下、より好ましくは１／３以下のものが用いられる。【００１６】  本発明の捕獲ネットは外側が強化ネット、内側がソフトネットで構成された二重構造の両端が開放された筒状の網体であり、該開放両端部は枠を取り付けてなる。
枠の形状は捕獲対象物により一義的ではないが観賞魚等の魚類を対象とする場合には円形の場合には、直径約５ｃｍ〜約８０ｃｍ、好ましくは約１０ｃｍ〜約５０ｃｍ、枠体形上が三角形や四角形の場合には一辺の長さが約５ｃｍ〜約８０ｃｍ、好ましくは約１０ｃｍ〜約５０ｃｍ、それ以上の多角形上においては略円形と同じである。枠体は何で構成してもよいが、通常金属、具体的には鉄、銅、ステンレス等が挙げられる。錆等の汚染がない点よりステンレス線が推奨される。線の太さは特に制限されないが、形状安定性の点より、あまり細いものは好ましくなく、通常直径約１ｍｍ〜約５ｍｍ程度のものが使用される。【００１７】  枠体への網体への取り付け方法は、公知の方法でよく、特に制限されないが、例えば予め網体端部を筒状に縫い、この開口部に枠体、例えば金属線を貫通・固定する方法、或いは、枠体を折り込み、これを縫い合わせる方法、或いは適当な接着剤で固着する、或いは熱により溶着する方法等が挙げられる。【００１８】  本発明において枠体は把持部を有していてもよい。把持部の形状は特に制限されないが、上部より把持部を持つことにより捕獲ネットを利用し易い形状であればよく、例えば枠体上部に鎹状の取手をつけてもよい。この場合には取手を持って捕獲ネットを水槽に浸漬し、他方の枠より捕獲対象魚を追い込み、追い込んだ時点で取手を１８０度内側に回転させ水槽より持ち上げればよい。１８０度内側に回転させることにより魚は逃げ場を失い、すばやく持ち上げることにより、魚はソフトネットに包まれ、かつ強化ネットにも覆われるので、自由度を失い、暴れることなく、傷つくことなく搬送可能である。【００１９】  本発明の捕獲ネットは、上記構成にてそのまま使用することも出来るが、筒状網体の一端の枠に開閉機構付き蓋を取り付け使用することもできる。【００２０】  筒状網体の一端の枠に取り付ける開閉機能付き蓋の構造は特に制限されるものではなく、例えば、開閉機能付き蓋が、手に掴まれる柄と、柄の先端に取り付けられた両端が開放された枠体、蓋よりなり、蓋の開閉を柄に配設した引き金を引くことによりコイルバネとリンク機構により行う構造のものが挙げられる。【００２１】  かかる構造の開閉機能付き蓋を有する本発明の捕獲ネットを図面を用いて説明するが、図面は一実施態様であり、本発明を制限するものではない。本発明において、図１は本発明の捕獲ネットと開閉機構付き蓋を連結させた側面図、図２は本発明の捕獲ネットと開閉機構付き蓋を連結させた上面図、図３は本発明の捕獲ネットと開閉機構付き蓋を連結させた正面図を示し、（１）は捕獲ネット、（２）は捕獲ネットを構成する枠と開閉機構付き蓋の接続部、（３）は捕獲ネットを構成する二重構造を有する両端が開放された筒状網体、（４）及び（５）は二重ネットの開放端部に取り付けられた枠、（６）及び（７）は枠の把持部、（８）は手に掴まれる柄、（９）はロック装置、（１０）は蓋、（１１）はワイヤー、（１２）は引き金、（１３）は固定滑車、（１４）はリンク機構、（１５）はカバー用ネット、（１６）はコイルバネ、（１７）は蓋を示す。【００２２】  本発明の開閉機構付き蓋は、外側を強化ネット、内側をソフトネットの二重構造を有する両端が開放された筒状網体の両端開放部に枠（４）および（５）を取り付けてなる捕獲ネット（３）の、何れか一方の枠に取り付けてなる。図においては、枠（４）および（５）の上部には鎹状の把持部（６）及び（７）が配設されており、捕獲ネットの操作性、捕獲した捕獲物の運搬を安全かつ容易にする機能を有するが、捕獲用途において直接枠（４）および（５）を把持し操作し得る場合には必ずしも把持部は必須ではない。
また、開閉機構付き蓋を使用する場合には他の一方の枠（７）に蓋（１７）を取り付け、片方が閉鎖された状態で使用する。蓋（１７）は遠隔開閉機能を有せず、直接枠（５）に固定された使用態様であってもよい。この枠（７）への蓋（１７）の取り付けはボルトナットによる接合、フック機構等公知の方法であればよい。【００２３】  本発明の開閉機構付き蓋（１０）は、側面から見るとＬ字状で、リンク機構（１４）と一体となっており、Ｌ字状の角部分を軸として蓋（１０）が開閉する仕組みとなっている。リンク機構（１４）はコイルバネ（１２）を有しており、網の内側から外方向へ戻るバネの力が作用する。
またワイヤー（１１）の端はリンク機構（１４）に取り付けられており、固定滑車（１３）を介して、もう一端のワイヤーが取り付けられた引き金（１２）を上方に持ち上げることにより引き上げられる。引き上げられた際、柄（８）に付随されたロック装置（９）を使用して引き金（１２）の保持することにより蓋（１０）が一杯まで開かれたままの状態となる。ロック装置（９）を解除することにより蓋（１０）はコイルバネ（１６）の戻る力を利用して閉じることができる。カバー用ネット（１５）は捕獲物が逆戻りして蓋（１０）に衝突して傷つくのを防ぐ目的がある。【００２４】  この開閉機構付き蓋（１０）は、通常、小さな穴の開いたプレート、若しくは目の細かい網等を使用し、水圧等の抵抗を軽減することでスムーズな開閉が可能となる。開閉機構付き蓋の枠体部分はアルミ等のパイプを使用し、伸び縮みする機構とし、開閉機構部分の幅（ａ寸法）を半分以下とすることもできる。これにより保管する際にもコンパクトにすることにより収納場所を取らない構造となる。【００２５】  本発明の捕獲ネットを構成する枠と開閉機構付き蓋の接続部は、公知の方法であればよく特に制限されないが、図１及び図２に示すようなフックとパッチン錠により接続してもよい。
【図面の簡単な説明】
【００２６】
【図１】本発明の捕獲ネットと開閉機構付き蓋を連結させた側面図を示す。
【図２】本発明の捕獲ネットと開閉機構付き蓋を連結させた上面図を示す。
【図３】本発明の捕獲ネットと開閉機構付き蓋を連結させた正面図を示す。
【符号の説明】
【００２７】１：捕獲ネット
２：接続部
３：二重構造を有する両端が開放された筒状網体
４：枠
５：枠
６：把持部
７：把持部
８：柄
９：ロック装置
１０：蓋
１１：ワイヤー
１２：引き金
１３：固定滑車
１４：リンク機構
１５：カバー用ネット
１６：コイルバネ
１７：蓋
【図１】
2008220353.tif 000003
【図２】
2008220353.tif 000004
【図３】
2008220353.tif 000005